(57)【要約】【目的】シート類の被切断物を挟み、開閉操作をしないで押し進むことで両刃が自発的な開閉せん断作業を行うようにした鋏を提供すること。【構成】一対の鋏片の切刃が接しながら開閉する鋏の両刃に閉じようとするバネなどの負荷を加え、この負荷が両刃を大きく開くことにより接点が刃先から刃元に移るに連れて漸増するようにしたものである。【選択図】  図２
2005205130.tif 000002
【特許請求の範囲】
【請求項１】
切刃で接しながら開閉する一対の両刃の開きを大きくするに連れて両刃を閉じる負荷が漸増して加わることを特徴とする鋏。
【発明の詳細な説明】
【発明の詳細な説明】
【産業上の利用分野】
【０００１】  本発明は紙などのシート類の被切断物を手を開閉しないで、押しながら切り進めるようにした鋏に関するものである。
【背景技術】
【０００２】  従来の鋏においては、手を開閉して一対の鋏片の切刃を開閉させることによって紙などの被切断物をせん断して切るようにしたものであった。
【発明が解決しようとする課題】
【０００３】  本発明はシート類の被切断物を挟み、開閉操作をしないで押し進むことで両刃が自発的な開閉せん断作業を行うようにした鋏を提供することが課題である。
【課題を解決するための手段】
【０００４】  この課題の解決のため、一対の鋏片の切刃が接しながら開閉する鋏の両刃に閉じようとする付勢を加え、この付勢が両刃を大きく開くことで接点が刃先から刃元に移るに連れて漸増するようにしたものである。
【作用】
【０００５】  本発明の鋏は、切刃で接しながら開閉する一対の両刃が開くに連れて両刃を閉じる負荷が漸増して加わるので、両刃を閉じる負荷が刃元より次第に減衰して加わる先端部で、一方の手で持った紙等の被切断物を、他方の手に持った鋏の両刃間に挟み、一方の鋏片に力を掛けないで被切断部を切刃の先端方向から刃元側に移動すると、被切断部は鋏片の両刃によって上下に切り分けられようとする。もし、この上下に切り分けられようとするせん断力が不足して切り分けられなければ、鋏は被切断部を切らないで両刃の接点は開き、両刃を閉じようとする負荷が漸増する刃元側に移り、増加した負荷が被切断部をせん断する力に達した時点で両刃が閉じて被切断物を上下に切り分ける。そのまま鋏片を持って押し進めれば被切断物をせん断して前進するが、途中で再び被切断部が切り分けられなければ、前述と同様に両刃が開き、両刃を閉じようとする負荷が増し、被切断部をせん断する力に至った時点で両刃は閉じ、被切断物を切り分けて進む。このように本発明において手の開閉操作を行わなくても、紙などの被切断物に対して鋏を前進すると自発的開閉動作が生じて切ることができる。
【実施例】
【０００６】  本発明の鋏の第１実施例を図１〜図４により説明する。図１に示すように、握り環１を有する静刃２と握り環３を有する動刃４をほぼ中央部分で開閉自在に軸止めし、図４に示すような開閉用板バネ部品５が板バネ６の細長穴７に握り環１の内側側面上に設けたビス８を介して、バネ部品５の基端に設けた振れ止め用ガイド部９とともに握り環１の内側面で上下に動くように取り付けてあり、図２の実線で示すように両刃２，４を閉じた状態で板バネ部品５を上部に移動すると動刃４のカシメ軸の下部に設けた溝１０内に板バネ６が先端側から入る。両刃２，４を閉じて板バネ６を溝１０内に挿入してから、図２の２点鎖線に示すように両刃を開こうとすれば、板バネ６は溝１０の回転に連れて湾曲変形しながら閉じようとする力を生じ、その力の大きさは板バネ６の変形とともに漸増するので被切断物をせん断する力に至った時点で両刃は閉じて被切断物を切り分け、手の開閉操作を行わなくとも、紙などの被切断物を切刃の先端から刃元側への移動によって切り進むことができる。【０００７】  そして、図１のようにバネ部品５を溝部１０の下端に下げた時点で、板バネによる両刃にかかる力はなくなり、手の開閉操作による鋏として使用できる。【０００８】  図１の状態から、図３の２点鎖線に示すように握り環１，３開いたままバネ部品５を上端に上げて板バネ６が動刃４の下部縁の外側に出した状態にして、図３の実線に示すように握り環１，３を閉じるとバネ部品５は湾曲変形して切刃２，４を押し開く力が生じ、握る力を繰り返して加えるだけで開閉操作が行えるので切断作業が楽にできる。【０００９】  次に、ほぼＵ字形の薄板状の曲部１１がバネとして上下の両刃１２を接しながら閉じる作用をする和鋏における第２実施例を図５により説明する。図のように両刃１２は曲部１１のバネの無負荷な状態で両刃１２の先端が僅かに開いており、切刃の先端部に被切断物を挟んで和鋏を押し進めると、被切断物は鋏片の両刃によるせん断作用を受けて上下に切り分けられようとするが、このせん断力が不足して上下に切り分けられない時、バネ部１１が両刃１２を開いて閉じる負荷を生じる。その負荷の大きさはバネ部１１の変形に伴って漸増し、この変形による負荷が被切断物をせん断する力に至った時点で両刃は閉じて被切断物を切り分け、手の開閉操作なしでも紙などの被切断物を切刃の先端方向から刃元側に移動することによって切り進むことができる。【００１０】  図６〜図８は、本発明を前述の第２実施例に通常の和鋏として使用できるように両刃が開いている状態にする機能を付与した第３実施例で、Ｕ字形のバネ状の曲部１３からほぼ平行部な柄部１４の開口部１５に一対の上刃１６と下刃１７を取り付け、この両刃１６、１７の中心軸と柄部１４が角度αを成すようにする。そして、柄部に握る力を掛けない時、切刃の先端が僅かに開くようにしたものである。更に、図８に示すような折り曲げた先端部に回転子１８を有し、平行部が側面より見たとき湾曲しているＵ字状の線状バネ１９の基端を一方の下柄部１４の中間部に柄部の内面上を穴２０内で回転するように台座２１に取り付け、図６のように線状バネ１９をバネ状の曲部１３側に向けたとき、バネ状の曲部１３の弾撥力には作用しないで対向の柄部１４の内面を押さないようにして、この上刃１６と下刃１７の僅かに開いた切り刃の先端部に被切断物を挟んで和鋏を押し進めると、被切断物は鋏片の両刃によるせん断作用を受けて上下に切り分けられようとする。このせん断力が不足して上下に切り分けられない時、両刃が開いて柄部１４が開きバネ部１３では閉じる負荷を発し、その負荷の大きさは曲部１３の変形とともに漸増する。そして、柄部１４の平行部と両刃１６，１７の中心軸との角度αにより両刃の開き度合いは上刃１６の開いた刃長が下刃１７の開いた刃長よりも長くなる。そこで、この変形による負荷が被切断物をせん断する力に至った時点で両刃が閉じて被切断物を切り分ける時、両刃の開き度合いの差を無くすように両刃の間に滑りを生じながら閉じるので、刃物の「斜行の原理」で鋏の切れ味が向上するとともに、柄部が被切断物の上方に位置して、机などの台の上に置きながら手の開閉操作なしでも切刃の先端方向から刃元側に移動することによって切ることができる。【００１１】  そして、図７の図示のように線状バネ１９を開口部１５側に向けて線状バネ１９の湾曲した下部が下方柄部１４の内面に当って両柄部１４を押し広げると、上刃１６と下刃１７は適度に開いた状態で安定して、手の開閉操作よって切刃を開閉する通常の和鋏に転用できる。【００１２】  図９と図１０は本発明の第４実施例で、図１０に示す薄板でできた卵形バネ２２を図９の実線で示すように鋏柄部２３の下端の回転軸２４で鋏本体の下方にセットして一対の切刃２５，２６がほぼ閉じた状態で安定するようにすれば、前述の実施例と同様に、被切断物を挟んで鋏を推し進めると、被切断物は鋏片の両刃によるせん断作用を受けて左右に切り分けられようとする。このせん断力が不足して左右に切り分けられない時、両刃が開いて柄部２３が開きバネ部２２では閉じる負荷を発し、この閉じる負荷の大きさはバネ部２２の変形とともに漸増して被切断物をせん断するに至るので、被切断物を切刃の先端から刃元側へ移動することにより切り進むことができる。【００１３】  また、図９の２点鎖線で示すように、卵形バネ２２を軸２４で回転して鋏柄部２３の内側にセットしてやれば、一対の切刃２５，２６はバネ２２によって柄部２３を大きく開き、柄部２３を握る操作によって切刃は閉じて切断作業ができる。
【発明の効果】
【００１４】  このように、本発明においては、バネなどで両刃の開きが大きくなるに連れて両刃を閉じる負荷が漸増して加わるので、手の開閉操作を行わなくても、被切断物に対して鋏を推し進むように移動することで自発的な開閉動作により切ることができる。また、両刃が閉じるバネなどの作用の付勢を中止して通常の鋏に転換できるとともに、両刃が開くバネなどの作用の付勢を加えるようにして、操作が楽に行える鋏としても転用できるものである。
【図面の簡単な説明】
【図１】第１実施例のバネの両刃にかかる負荷を中止した状態の平面図である。
【図２】第１実施例のバネの負荷が両刃を閉じる状態の平面図である。
【図３】第１実施例のバネの負荷が両刃を開く状態の平面図である。
【図４】第１実施例のバネ部品の拡大斜視図である。
【図５】第２実施例の和鋏の平面図である。
【図６】第３実施例の線状バネが無作用の状態の平面図である。
【図７】第３実施例の線状バネの作用が両刃を開く状態の平面図である。
【図８】第３実施例の線状バネの正面図である。
【図９】第４実施例の卵形バネが両刃を閉じる負荷と開く負荷を加えた状態を示した平面図である。
【図１０】第４実施例の卵形バネの平面図である。
【符号の説明】
２：静刃、４：動刃、５：板バネ部品、６：板バネ、１０：溝、１１：曲部バネ部、１２：両刃、１３：バネ状の曲部、１６：上刃、１７：下刃、１９：線状バネ、２２：卵形バネ、２３：柄部、２５と２６：切刃。
【図１】
2005205130.tif 000003
【図２】
2005205130.tif 000004
【図３】
2005205130.tif 000005
【図４】
2005205130.tif 000006
【図５】
2005205130.tif 000007
【図１０】
2005205130.tif 000008
【図６】
2005205130.tif 000009
【図７】
2005205130.tif 000010
【図８】
2005205130.tif 000011
【図９】
2005205130.tif 000012